(57)【要約】【課題】位置決め部２００によってレンズ部材１２０が灯具ボディ１１０に対して位置決めされるので、灯具ボディ１１０へのレンズ部材１２０の取付精度が向上する。【解決手段】前面に開口を有する灯具ボディ１１０と前記開口を覆うレンズ部材１２０とにより形成される灯室内に光源が配される車両用灯具１０であって、前記灯具ボディ１１０は、経時的に硬化するシール材１５０が注入される溝部１１５を有し、前記レンズ部材１２０は、前記シール材１５０が注入された前記溝部１１５に挿入される挿入部１２５を有し、前記灯具ボディ１１０または前記レンズ部材１２０の一方には位置決め部２００が設けられ、前記挿入部１２５が前記溝部１１５に挿入されたときに、前記灯具ボディ１１０または前記レンズ部材１２０の他方と前記位置決め部２００とが前記シール材１５０よりも早い時間で硬化する接着剤３００を介して接着されることを特徴とする車両用灯具１０を提供する。【選択図】図１
2010277892.tif 000002
【特許請求の範囲】
【請求項１】
前面に開口を有する灯具ボディと前記開口を覆うレンズ部材とにより形成される灯室内に光源が配される車両用灯具であって、
前記灯具ボディは、経時的に硬化するシール材が注入される溝部を有し、
前記レンズ部材は、前記シール材が注入された前記溝部に挿入される挿入部を有し、
前記灯具ボディまたは前記レンズ部材の一方には位置決め部が設けられ、
前記挿入部が前記溝部に挿入されたときに、前記灯具ボディまたは前記レンズ部材の他方と前記位置決め部とが前記シール材よりも早い時間で硬化する接着剤を介して接着されることを特徴とする車両用灯具。
【請求項２】
前記位置決め部は、前記溝部の側壁に設けられ、
前記レンズ部材は、本体部から前記挿入部とは異なる方向に延伸し、前記位置決め部と接着される延伸部を有することを特徴とする請求項１に記載の車両用灯具。
【請求項３】
前記位置決め部は、前記挿入部の挿入方向と平行な第１の面および前記挿入方向と直交する第２の面を含み、
前記延伸部は、前記第１の面および前記第２の面と接着されることを特徴する請求項２に記載の車両用灯具。
【請求項４】
前面に開口を有する灯具ボディと前記開口を覆うレンズ部材とにより形成される灯室内に光源が配される車両用灯具の製造方法であって、
前記灯具ボディに設けられた溝部に経時的に硬化するシール材を注入する注入工程と、
前記灯具ボディまたは前記レンズ部材の一方に設けられた位置決め部に、前記シール材よりも早い時間で硬化する接着剤を塗布する塗布工程と、
前記レンズ部材に設けられた挿入部を前記溝部に挿入し、前記位置決め部と他方とを前記接着剤を介して接着する接着工程と、
を含むことを特徴とする車両用灯具の製造方法。
【発明の詳細な説明】
【技術分野】
【０００１】
本発明は車両用灯具および車両用灯具の製造方法に関し、特に車両用灯具を構成する灯具ボディおよびレンズ部材の取付部の構造および当該取付部の接着工程に関する。
【背景技術】
【０００２】
灯具前方側が開口した灯具ボディと当該開口を覆うように取り付けられたレンズ部材とにより形成された灯室内に光源が配された構造を有する車両用灯具が知られている。このような車両用灯具においては、灯具ボディの開口の周縁に設けられた溝部にシール材が注入された後、レンズ部材の外周部が溝部に挿入されることにより、灯具ボディとレンズ部材とがシール性を有するように取り付けられる（例えば特許文献１および特許文献２参照）。
【０００３】
ところで、上記シール材には、硬化するまでに時間のかかるものが多いことから、上記のようにレンズ部材を灯具ボディへ固定する際には、シール材が硬化するまでの間、外周部の溝部に対する相対位置を保つために、外周部と溝部とを仮固定する方法が知られている。
【０００４】
例えば、外周部の先端を溝部の底面に突き当てるように挿入し、当該底面の裏側からビス止めあるいはネジ止めにより仮固定する方法、若しくは、外周部に設けたランス爪を溝部の側壁に形成した係合穴に係合させることにより仮固定する方法などが知られている。
【先行技術文献】
【特許文献】
【０００５】
【特許文献１】特開平１０−２７５０２号公報
【特許文献２】特開２０００−９０７２４号公報
【発明の概要】
【発明が解決しようとする課題】
【０００６】
しかしながら、ビス止め等により仮固定する方法では、ビス等の部品が必要となることからコストがかかる。また、ランス爪を溝部の係合穴に係合させる方法では、ランス爪が係合穴に係合する前後において外周部の先端が溝部内のシール材を外にかき出してしまうことがあり、シール材の偏りやシール不良の原因となっていた。
【課題を解決するための手段】
【０００７】
本発明は、上記課題を解決することを目的として、前面に開口を有する灯具ボディと前記開口を覆うレンズ部材とにより形成される灯室内に光源が配される車両用灯具であって、前記灯具ボディは、経時的に硬化するシール材が注入される溝部を有し、前記レンズ部材は、前記シール材が注入された前記溝部に挿入される挿入部を有し、前記灯具ボディまたは前記レンズ部材の一方には位置決め部が設けられ、前記挿入部が前記溝部に挿入されたときに、前記灯具ボディまたは前記レンズ部材の他方と前記位置決め部とが前記シール材よりも早い時間で硬化する接着剤を介して接着されることを特徴とする車両用灯具を提供する。
【０００８】
このような車両用灯具によれば、位置決め部によってレンズ部材が灯具ボディに対して位置決めされるので、灯具ボディへのレンズ部材の取付精度が向上する。また、灯具ボディとレンズ部材とが、位置決め部に塗布された接着剤を介して接着されているので、これらがシール材だけで固定されている場合と比べて取付強度に優れる。
【０００９】
また、本発明の車両用灯具において、前記位置決め部は、前記溝部の側壁に設けられ、前記レンズ部材は、前記挿入部とは異なる方向に延伸し、前記位置決め部と接着される延伸部を有することが好ましい。
【００１０】
これにより、挿入部を灯具ボディの溝部に対して容易に位置決めして接着（仮固定）することができる。
【００１１】
また、本発明の車両用灯具において、前記位置決め部は、前記挿入部の挿入方向と平行な第１の面および前記挿入方向と直交する第２の面を含み、前記延伸部は、前記第１の面および前記第２の面と接着されることが好ましい。
【００１２】
これにより、挿入部の挿入方向および当該挿入方向と直交する方向において、挿入部を溝部に対して確実に位置決めして接着（仮固定）することができる。
【００１３】
また、本発明は、上記課題を解決することを目的として、前面に開口を有する灯具ボディと前記開口を覆うレンズ部材とにより形成される灯室内に光源が配される車両用灯具の製造方法であって、前記灯具ボディに設けられた溝部に経時的に硬化するシール材を注入する注入工程と、前記灯具ボディまたは前記レンズ部材の一方に設けられた位置決め部に、前記シール材よりも早い時間で硬化する接着剤を塗布する塗布工程と、前記レンズ部材に設けられた挿入部を前記溝部に挿入し、前記位置決め部と他方とを前記接着剤を介して接着する接着工程と、を含むことを特徴とする車両用灯具の製造方法を提供する。
【００１４】
このような製造方法によれば、レンズ部材の挿入部を灯具ボディの溝部に対して容易に位置決めすることができる。また、挿入部を溝部に挿入してからシール材が硬化するまでの間、灯具ボディとレンズ部材とを早期硬化型の接着剤を介して容易に仮固定することができる。したがって、仮固定のために新たな部品が必要なく、また、レンズ部材にランス爪を設けて仮固定する場合のように、挿入部の先端が溝部内のシール材を外にかき出すことがない。
【００１５】
なお、上記の発明の概要は、本発明の必要な特徴の全てを列挙したものではなく、これらの特徴群のサブコンビネーションもまた、発明となりうる。
【図面の簡単な説明】
【００１６】
【図１】本発明の実施形態に係る車両用灯具１０の縦断面図である。
【図２】灯具ボディ１１０とレンズ部材１２０との固定部（ＪＯ）の構造の一例を示す図である。
【図３】レンズ部材１２０を灯具ボディ１１０に取り付ける取付工程を示す概略断面図である。
【図４】灯具ボディ１１０とレンズ部材１２０との固定部（ＪＯ）の構造の他の一例を示す図である。
【発明を実施するための形態】
【００１７】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
図1は、本発明の実施形態に係る車両用灯具１０の縦断面図である。図1に示すように、本実施形態の車両用灯具１０は、前面（灯具前方側）に開口を有する灯具ボディ１１０と、当該開口を覆うように取り付けられたレンズ部材１２０とにより形成される灯室内に光源１３０およびリフレクタ１４０が配される構造を有する。本実施形態において、光源１３０は、上記灯室内の略中央に配され、リフレクタ１４０は、光源１３０の後方に配される。
【００１９】
なお、本明細書において、前方とは、車両用灯具１０における光源１３０からレンズ部材１２０へと向かう方向（図１の上方）であり、後方とは、当該前方と反対の方向（図１の下方）である。したがって、車両用灯具１０を自動車のリアコンビネーションランプに用いた場合、上記前方は即ち車輌後方を示す。
【００２０】
灯具ボディ１１０は、例えば合成樹脂材料により一体に形成される。この合成樹脂材料としては、例えば、ポリプロピレン樹脂、ＡＳＡ樹脂、ポリカーボネート樹脂（ＰＣ樹脂）、ＡＢＳ樹脂、アクリル樹脂（ＰＭＭＡ）やこれらのアロイ材等が好ましく用いられる。レンズ部材１２０は、例えば透明あるいは半透明の合成樹脂材料により形成される。この合成樹脂材料としては、例えばポリカーボネート樹脂（ＰＣ樹脂）、ポリカーボネートＡＢＳ樹脂（ＰＣ−ＡＢＳ樹脂）、アクリル樹脂（ＰＭＭＡ）等が好ましく用いられる。
【００２１】
レンズ部材１２０における灯具ボディ１１０の開口を覆う面には、光源１３０からの光を集光あるいは拡散するためのレンズステップが設けられてもよい。灯具ボディ１１０およびレンズ部材１２０は、それぞれの外周縁部において互いに固定されている（図１において、灯具ボディ１１０とレンズ部材１２０とが互いに固定されている部分（固定部）を「ＪＯ」で示す）。
【００２２】
光源１３０は、灯具ボディ１１０およびレンズ部材１２０により形成される灯室内に配される。この光源１３０は、灯具ボディ１１０に固定されているソケット部１３２と電気的に接続し、ソケット部１３２を介して電源（不図示）から供給される電力により発光する。リフレクタ１４０は、前方側が略放物面状に凹んだ凹面を有し、その凹面の中央には光源１３０を通すための貫通穴が設けられている。このリフレクタ１４０は、灯室内における光源１３０の後方側に配され、光源１３０からの光を前方（レンズ部材１２０側）へ反射する。
【００２３】
図２は、灯具ボディ１１０とレンズ部材１２０との固定部（ＪＯ）の構造の一例を示す図である。図２において、（ａ）は、図１に示す断面図における固定部（ＪＯ）近傍を拡大した図を示し、（ｂ）は、固定部（ＪＯ）の側面図を示す。
【００２４】
図２に示すように、灯具ボディ１１０の外周縁部には、溝部１１５が設けられている。この溝部１１５は、灯具ボディ１１０の本体部１１６から伸びる底壁１１７、および当該底壁１１７の一端から立ち上がる側壁１１８で構成され、前方側に開口を有する。
【００２５】
また、レンズ部材１２０の外周縁部には、後方側に突出する挿入部１２５が設けられている。この挿入部１２５は、シール材１５０が注入された溝部１１５に挿入されており、シール材１５０を介して溝部１１５に固定されている。シール材１５０は、溝部１１５へ注入された後に経時的に硬化するとともに、硬化後においては、灯具ボディ１１０とレンズ部材１２０とを固定できる程度に十分な接着力を有するものが好ましい。
【００２６】
したがって、シール材１５０には、例えば湿気硬化型接着剤あるいはホットメルトシーリング剤が用いられる。このように、灯具ボディ１１０の溝部１１５とレンズ部材１２０の挿入部１２５とをシール材１５０を介して固定することにより灯室内外のシール性を確保することができる。
【００２７】
また、レンズ部材１２０の外周縁部には、位置決め部２００が設けられている。この位置決め部２００は、レンズ部材１２０の外周縁部から灯具側方へ延出する部分（側方延出部分）と、当該部分の先端から灯具後方側に延出する部分（後方延出部分）とにより構成されている。そして、後方延出部分の内面は、溝部１１５の側壁１１８の外面と接着剤３００を介して接着されている。
【００２８】
接着剤３００は、シール材１５０よりも早い時間で硬化するとともに、灯具ボディ１１０とレンズ部材１２０とを固定できる程度に十分な接着力を有するものが好ましく、例えば瞬時硬化タイプのホットメルトが用いられる。
【００２９】
このように、本実施形態の車両用灯具１０は、レンズ部材１２０が位置決め部２００によって灯具ボディ１１０に対して位置決めされるので、灯具ボディ１１０へのレンズ部材１２０の取付精度が向上する。また、このように位置決めされた状態で灯具ボディ１１０とレンズ部材１２０とが接着剤３００を介して接着されているので、これらがシール材１５０だけで固定されている場合と比べて取付強度に優れる。
【００３０】
図３は、レンズ部材１２０を灯具ボディ１１０に取り付ける取付工程を示す概略断面図である。本例に示す取付工程は、本実施形態に係る車両用灯具１０を製造する製造方法の一部であり、注入工程（図３（Ａ））と、接着剤塗布工程（図３（Ｂ））と、接着工程（図３（Ｃ））とを含む。
【００３１】
注入工程では、灯具ボディ１１０の溝部１１５にシール材１５０を注入する。そして、接着剤塗布工程では、溝部１１５の側壁１１８の外面に接着剤３００を塗布する。そして、接着工程では、挿入部１２５を溝部１１５に挿入し、位置決め部２００と溝部１１５とを接着剤３００を介して接着する。
【００３２】
ここで、接着材塗布工程において塗布された接着剤３００は、注入工程において溝部１１５に注入されたシール材１５０よりも非常に早い時間で硬化する。したがって、レンズ部材１２０が位置決め部２００によって灯具ボディ１１０に対して位置決めされた状態で接着剤３００によって灯具ボディ１１０に接着される。そして、この状態で、溝部１１５内のシール材１５０が徐々に硬化していく。そして、シール材１５０の硬化をもって、本取付工程は完了する。
【００３３】
以上のような取付工程を含む製造方法により車両用灯具１０を製造することにより、レンズ部材１２０を灯具ボディ１１０に対して容易に位置決めすることができる。さらには、挿入部１２５を溝部１１５に挿入してからシール材１５０が硬化するまでの間、灯具ボディ１１０とレンズ部材１２０とを接着剤３００を介して容易に仮固定することができる。
【００３４】
図４は、灯具ボディ１１０とレンズ部材１２０との固定部（ＪＯ）の構造の他の一例を示す図である。図４の（ａ）および（ｂ）の各図は、図２の（ａ）および（ｂ）の各図にそれぞれ対応する。したがって、図４において図２と同じ符号を付した箇所については、図２に示す固定部と同様の構成であるので説明を適宜省略する。
【００３５】
図４に示すように、本例では、溝部１１５の側壁１１８に位置決め部２０１が設けられている。この位置決め部２０１は、溝部１１５の上端から灯具側方へ延出する部分（側方延出部分）と、当該部分の先端から灯具前方側に延出する部分（前方延出部分）とにより構成されている。また、位置決め部２０１における前方延出部分の内側には、挿入部１２５の溝部１１５に対する挿入方向と平行な第１の面２１１が形成されており、側方延出部分の内側には、当該挿入方向と直交する第２の面２２１が形成されている。
【００３６】
また、レンズ部材１２０には、挿入部１２５が溝部１１５に挿入された状態において灯具側方に向けて延伸するフランジ１２２が設けられている。このフランジ１２２は、本発明における延伸部の一例である。
【００３７】
そして、フランジ１２２の先端部は、位置決め部２０１の第１の面２１１および第２の面２２１の両方に当接した状態で接着剤３００を介して接着されている。したがって、レンズ部材１２０は、挿入部１２５の挿入方向および当該挿入方向と直交する方向において、位置決め部２０１によって灯具ボディ１１０に対して位置決めされている。
【００３８】
このように、本例では、レンズ部材１２０が位置決め部２０１によって灯具ボディ１１０に対して２方向で位置決めされるので、灯具ボディ１１０へのレンズ部材１２０の取付精度が向上する。また、フランジ１２２が位置決め部２０１の第１の面２１１および第２の面２２１の両方と接着剤３００を介して接着されているので、シール材１５０だけで灯具ボディ１１０とレンズ部材１２０とが固定されている場合と比べて取付強度により優れる。
【００３９】
また、図示は省略するが、本例のレンズ部材１２０および灯具ボディ１１０を取り付ける取付工程においても、挿入部１２５を溝部１１５へ挿入する際にフランジ１２２の先端部を位置決め部２０１の第１の面２１１および第２の面２２１の両方に容易に当接させることができるとともに、灯具ボディ１１０とレンズ部材１２０とを接着剤３００を介して容易に仮固定することができる。
【００４０】
なお、本例では、フランジ１２２および位置決め部２０１がいずれも直交する２表面を有し、互いの対応する表面を接着剤３００を介して接着している。しかしながら、フランジ１２２および位置決め部２０１の表面形状はこれに限られず、例えば先端に半球状の凸部を設けたフランジ１２２と、半球状の凹部を表面に設けた位置決め部２０１とを、当該凸部を当該凹部に嵌め込んで接着剤３００を介して接着してもよい。
【００４１】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００４２】
１０…車両用灯具
１１０…灯具ボディ
１１５…溝部
１１６…本体部
１１７…底壁
１１８…側壁
１２０…レンズ部材
１２１…フランジ（延伸部）
１２５…挿入部
１３０…光源
１３２…ソケット部
１４０…リフレクタ
１５０…シール材
２００，２０１…位置決め部
２１１…第１の面
２２１…第２の面
２５０…貫通部
３００…接着剤
ＪＯ…接合部
【図１】
2010277892.tif 000003
【図２】
2010277892.tif 000004
【図３】
2010277892.tif 000005
【図４】
2010277892.tif 000006